(57)【要約】【課題】  この発明は、第１の記録媒体から第２の記録媒体へのコンテンツの移動（コピー含む）を容易にすることを目的としている。【解決手段】  第１の記録媒体（１３）に記録されたコンテンツに係るタイトルキーを取得し、第２の記録媒体（１２）に固有の暗号方式に対応させて暗号化する手段（１４）と、暗号化されたタイトルキーを第２の記録媒体（１２）に記録するために移動させる手段（１４）と、第１の記録媒体（１３）に記録されたコンテンツを第２の記録媒体（１２）に記録するために移動させる手段を備えるように構成している。【選択図】      図７
2008052804.tif 000002
【特許請求の範囲】
【請求項１】
第１の記録媒体に固有の第１の暗号方式で暗号化され、第１の記録媒体に記録されたコンテンツを前記第１の記録媒体に固有の方式とは異なる第２の記録媒体に固有の第２の暗号方式が規定された第２の記録媒体に記録するためにコンテンツを移動させるコンテンツ移動装置において、
前記第１の暗号方式で暗号化され、前記第１の記録媒体に記録されたコンテンツに係るタイトルキーを取得し、当該タイトルキーを前記第２の記録媒体に固有の第２の暗号方式に対応させて暗号化するタイトルキー暗号化手段と、
前記暗号化されたタイトルキーを前記第２の記録媒体に記録するために移動させるタイトルキー移動手段と、
前記第１の記録媒体に固有の第１の暗号方式で暗号化され、第１の記録媒体に記録されたコンテンツを前記第２の記録媒体に記録するために移動させるコンテンツ移動手段を備えることを特徴とするコンテンツ移動装置。
【請求項２】
第１の記録媒体に固有の第１の暗号方式で暗号化され、第１の記録媒体に記録されたコンテンツを前記第１の記録媒体に固有の方式とは異なる第２の記録媒体に固有の第２の暗号方式が規定された第２の記録媒体に記録するためにコンテンツを移動させるコンテンツ記録装置において、
固有の第１の暗号方式が規定され、第１の暗号方式で暗号化されたコンテンツおよび当該コンテンツに係るタイトルキーが記録された第１の記録媒体と、
固有の第２の暗号方式が規定され、第１の暗号方式とは異なる第２の暗号方式で暗号化したコンテンツを記録する第２の記録媒体と、
前記第１の暗号方式で暗号化され、前記第１の記録媒体に記録されたコンテンツに係るタイトルキーを取得し、当該タイトルキーを前記第２の記録媒体に固有の第２の暗号方式に対応させて暗号化するタイトルキー暗号化手段と、
前記暗号化されたタイトルキーを前記第２の記録媒体に記録するために移動させるタイトルキー移動手段と、
前記第１の記録媒体に固有の第１の暗号方式で暗号化され、第１の記録媒体に記録されたコンテンツを前記第２の記録媒体に記録するために移動させるコンテンツ移動手段を備えることを特徴とするコンテンツ記録装置。
【請求項３】
第１の記録媒体に固有の第１の暗号方式で暗号化され、第１の記録媒体に記録されたコンテンツを前記第１の記録媒体に固有の方式とは異なる第２の記録媒体に固有の第２の暗号方式が規定された第２の記録媒体に記録するためにコンテンツを移動させるコンテンツ記録装置において、
固有の第１の暗号方式が規定され、第１の暗号方式で暗号化されたコンテンツおよび当該コンテンツに係るタイトルキーが記録された第１の記録媒体と、
固有の第２の暗号方式が規定され、第１の暗号方式とは異なる第２の暗号方式で暗号化したコンテンツを記録する第２の記録媒体と、
前記第１の暗号方式で暗号化され、前記第１の記録媒体に記録されたコンテンツに係るタイトルキーを取得し、当該タイトルキーを前記第２の記録媒体に固有の第２の暗号方式に対応させて暗号化するタイトルキー暗号化手段と、
前記暗号化されたタイトルキーを前記第２の記録媒体に記録するために移動させるタイトルキー移動手段と、
前記第１の記録媒体に固有の第１の暗号方式で暗号化され、第１の記録媒体に記録されたコンテンツを前記第２の記録媒体に記録するために移動させるコンテンツ移動手段と、
前記第１の記録媒体から移動されたコンテンツを前記第１の記録媒体から移動されたタイトルキーと共に前記第２の記録媒体に記録する記録手段を備えることを特徴とするコンテンツ記録装置。
【請求項４】
第１の記録媒体に固有の第１の暗号方式で暗号化され、第１の記録媒体に記録されたコンテンツを前記第１の記録媒体に固有の方式とは異なる第２の記録媒体に固有の第２の暗号方式が規定された第２の記録媒体に記録するためにコンテンツを移動させるコンテンツ移動方法において、
前記第１の暗号方式で暗号化され、前記第１の記録媒体に記録されたコンテンツに係るタイトルキーを取得し、当該タイトルキーを前記第２の記録媒体に固有の第２の暗号方式に対応させて暗号化するステップと、
前記暗号化されたタイトルキーを前記第２の記録媒体に記録するために移動させるステップと、
前記第１の記録媒体に固有の第１の暗号方式で暗号化され、第１の記録媒体に記録されたコンテンツを前記第２の記録媒体に記録するために移動させるステップを備えることを特徴とするコンテンツ移動方法。
【請求項５】
第１の記録媒体に固有の第１の暗号方式で暗号化され、第１の記録媒体に記録されたコンテンツを前記第１の記録媒体に固有の方式とは異なる第２の記録媒体に固有の第２の暗号方式が規定された第２の記録媒体に記録するためにコンテンツを移動させるコンテンツ記録システムにおいて、
固有の第１の暗号方式が規定され、第１の暗号方式で暗号化されたコンテンツおよび当該コンテンツに係るタイトルキーが記録された第１の記録媒体と、
固有の第２の暗号方式が規定され、第１の暗号方式とは異なる第２の暗号方式で暗号化したコンテンツを記録する第２の記録媒体と、
前記第１の暗号方式で暗号化され、前記第１の記録媒体に記録されたコンテンツに係るタイトルキーを取得し、当該タイトルキーを前記第２の記録媒体に固有の第２の暗号方式に対応させて暗号化するタイトルキー暗号化手段と、
前記暗号化されたタイトルキーを前記第２の記録媒体に記録するために移動させるタイトルキー移動手段と、
前記第１の記録媒体に固有の第１の暗号方式で暗号化され、第１の記録媒体に記録されたコンテンツを前記第２の記録媒体に記録するために移動させるコンテンツ移動手段を備えることを特徴とするコンテンツ記録システム。
【発明の詳細な説明】
【技術分野】
【０００１】
この発明は、第１の記憶媒体に記憶された映像、音楽等のコンテンツを第２の記憶媒体に移動するコンテンツ移動装置に関する。またこの発明は第１の記憶媒体から移動されたコンテンツを第２の記憶媒体に記録するコンテンツ記録装置に関する。
【背景技術】
【０００２】
現在、ＨＤＤ（ハードディスクドライブ）やＤＶＤ（デジタルビデオディスク）等の記録媒体に映像を記録するコンテンツ記録装置が製品化されている。このようなコンテンツ記録装置は、映像や音楽（以下両者を総称して映像）を手軽に記録（録画）することができる。
【０００３】
また、これらの記録媒体（第１の記録媒体）に記録（録画）された映像信号を、他の記録媒体（第２の記録媒体）に移動（コピーを含む）することも行われている。
しかし、第１の記録媒体で行われている暗号形式と第２の記録媒体で行われている暗号形式が相違している場合には、第１の記録媒体から第２の記録媒体に移動されたコンテンツの再生を行う場合に支障が生じるという問題がある。
【０００４】
特許文献１にはＨＤＤの記録データを他の媒体にコピーする技術が開示されている。
しかしながら、この特許文献１では第１の記録媒体から第２の記録媒体にコンテンツを移動（コピー）する際に、タイトルキーを解読すると共にコンテンツデータも解読しなければならないという問題があった。また、タイトルキーとコンテンツデータの両者を暗号化しなければならないという問題があった。このため、第１の記録媒体から第２の記録媒体へのコンテンツの移動（コピーを含む）に多大な時間を要するという問題があった。
【特許文献１】特開２００2−203367号公報
【発明の開示】
【発明が解決しようとする課題】
【０００５】
そこで、この発明は、上記事情を考慮してなされたもので、第１の記録媒体から第２の記録媒体へのコンテンツの移動（コピー含む）を容易にすることを目的とする。また、第１の記録媒体から第２の記録媒体へコンテンツを移動する際に要する時間を低減することを目的とする。
【課題を解決するための手段】
【０００６】
この発明に係るコンテンツ移動装置は、第１の暗号方式で暗号化され、第１の記録媒体に記録されたコンテンツに係るタイトルキーを取得し、当該タイトルキーを第２の記録媒体に固有の第２の暗号方式に対応させて暗号化するタイトルキー暗号化手段と、暗号化されたタイトルキーを第２の記録媒体に記録するために移動させるタイトルキー移動手段と、第１の記録媒体に固有の第１の暗号方式で暗号化され、第１の記録媒体に記録されたコンテンツを第２の記録媒体に記録するために移動させるコンテンツ移動手段を備えるように構成している。
【０００７】
この発明に係るコンテンツ記録装置は、固有の第１の暗号方式が規定され、第１の暗号方式で暗号化されたコンテンツおよび当該コンテンツに係るタイトルキーが記録された第１の記録媒体と、固有の第２の暗号方式が規定され、第１の暗号方式とは異なる第２の暗号方式で暗号化したコンテンツを記録する第２の記録媒体と、第１の暗号方式で暗号化され、第１の記録媒体に記録されたコンテンツに係るタイトルキーを取得し、当該タイトルキーを前記第２の記録媒体に固有の第２の暗号方式に対応させて暗号化するタイトルキー暗号化手段と、暗号化されたタイトルキーを前記第２の記録媒体に記録するために移動させるタイトルキー移動手段と、第１の記録媒体に固有の第１の暗号方式で暗号化され、第１の記録媒体に記録されたコンテンツを前記第２の記録媒体に記録するために移動させるコンテンツ移動手段を備えるように構成している。
【０００８】
この発明に係るコンテンツ移動方法は、第１の暗号方式で暗号化され、第１の記録媒体に記録されたコンテンツに係るタイトルキーを取得し、当該タイトルキーを第２の記録媒体に固有の第２の暗号方式に対応させて暗号化するステップと、暗号化されたタイトルキーを前記第２の記録媒体に記録するために移動させるステップと、第１の記録媒体に固有の第１の暗号方式で暗号化され、第１の記録媒体に記録されたコンテンツを第２の記録媒体に記録するために移動させるステップを備えるように構成している。
【０００９】
この発明に係るコンテンツ記録システムは、固有の第１の暗号方式が規定され、第１の暗号方式で暗号化されたコンテンツおよび当該コンテンツに係るタイトルキーが記録された第１の記録媒体と、固有の第２の暗号方式が規定され、第１の暗号方式とは異なる第２の暗号方式で暗号化したコンテンツを記録する第２の記録媒体と、第１の暗号方式で暗号化され、第１の記録媒体に記録されたコンテンツに係るタイトルキーを取得し、当該タイトルキーを第２の記録媒体に固有の第２の暗号方式に対応させて暗号化するタイトルキー暗号化手段と、暗号化されたタイトルキーを第２の記録媒体に記録するために移動させるタイトルキー移動手段と、第１の記録媒体に固有の第１の暗号方式で暗号化され、第１の記録媒体に記録されたコンテンツを第２の記録媒体に記録するために移動させるコンテンツ移動手段を備えるように構成している。
【発明の効果】
【００１０】
上記した構成によれば、第１の記録媒体から第２の記録媒体へのコンテンツの移動（コピー含む）を容易にすることが可能となる。また、第１の記録媒体から第２の記録媒体へコンテンツを移動する際に要する時間を低減することが可能となる。
【発明を実施するための最良の形態】
【００１１】
以下、図面を参照してこの発明の実施の形態を説明する。
図１はこの発明の実施の形態に係る映像編集装置／コンテンツ記録装置の構成の一例を示すブロック図である。
このコンテンツ記録装置では、記録媒体としてＤＶＤ−ＲＡＭとハードディスクとの双方を取り扱うことができるものとしているが、ハードディスクまたはＤＶＤ−ＲＡＭは、例えば半導体メモリ等の記録媒体に置換されてもよいものである。
【００１２】
このコンテンツ記録装置では、映像の記録もできるように構成されている。
図１に示したコンテンツ記録装置において、その各ブロックを大きく分けると、左側に記録部の主なブロックが存在し、右側に再生部の主なブロックが存在する。
すなわち、このコンテンツ記録装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスク１３ａを駆動するＨＤＤ（Hard Disk Drive）部１３を有する。
【００１３】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系などを有する。
【００１４】
Ｄ−ＰＲＯ部１４は、記録または再生単位のデータを取り扱うもので、バッファ回路、変調・復調回路、エラー訂正部等を含んでいる。
また、このコンテンツ記録装置は、記録側を構成するエンコーダ部１５と、再生側を構成するデコーダ部１６と、装置本体の動作を制御するマイクロコンピュータブロック１７とを主たる構成要素としている。
【００１５】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１６】
エンコーダ部１５の出力は、バッファメモリ１８を含むフォーマッタ１９にて所定のＤＶＤ−ＲＡＭのフォーマットに変換され、先のＤ−ＰＲＯ部１４に供給される。
【００１７】
エンコーダ部１５には、Ａ／Ｖ（Audio／Video）入力部２０からの外部アナログビデオ信号と外部アナログオーディオ信号、または、ＴＶ（Television）チューナー部２１からのアナログビデオ信号とアナログオーディオ信号とが入力される。
【００１８】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００１９】
また、エンコーダ部１５は、アナログデジタル変換されたデジタルビデオ信号やオーディオ信号を、Ｖ（Video）ミキシング部２２やオーディオセレクタ２３に直接供給することもできる。
【００２０】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。
【００２１】
デジタルオーディオ信号は、ＭＰＥＧまたはＡＣ（Audio Compression）−３規格に基づいて固定ビットレートで圧縮されたデジタルオーディオ信号、または、リニアＰＣＭ（Pulse Code Modulation）のデジタルオーディオ信号に変換される。
【００２２】
副映像信号がＡ／Ｖ入力部２０から入力された場合（例えば副映像信号の独立出力端子付DVDビデオプレーヤからの信号等）、または、このようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００２３】
エンコードされたデジタルビデオ信号、デジタルオーディオ信号、副映像データは、フォーマッタ１９にてパック化され、ビデオパック、オーディオパック、副映像パックとなる。さらに、これらのパックが集合されて、ＤＶＤ−ＶＲ（Video Recording）規格（例えばＤＶＤ−ＲＡＭ、ＤＶＤ−Ｒ、ＤＶＤ−ＲＷ等に記録する規格）で規定されたフォーマットに変換される。
【００２４】
ここで、図１のコンテンツ記録装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２５】
また、ハードディスク１３ａまたは光ディスク１１に記録された情報を、Ｄ−ＰＲＯ部１４、ディスクドライブ部１２を介して光ディスク１１あるいはハードディスク１３ａに記録することもできる。
【００２６】
また、ハードディスク１３ａまたは光ディスク１１に記録されている複数番組のビデオオブジェクトを、一部削除したり、異なる番組のオブジェクトを繋げたりといった編集処理を行なうこともできる。これは、この実施の形態に係るフォーマットが取り扱うデータ単位を定義し、編集を容易にしているからである。
【００２７】
マイクロコンピュータブロック１７は、ＭＰＵ（Micro Processing Unit）またはＣＰＵ（Central Processing Unit）と、制御プログラム等が書きこまれたＲＯＭと、プログラム実行に必要なワークエリアを提供するためのＲＡＭとを含んでいる。
【００２８】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００２９】
また、マイクロコンピュータブロック１７は、システム全体を制御するために必要な情報処理部を有するもので、ワークＲＡＭ２４、方式違い検出部２５、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００３０】
また、マイクロコンピュータブロック１７は、後に説明するデータビットレート変換手段２６、映像／音声データの重要度とビットレート変換を対応づけるための変換テーブルが記憶されたメモリ２７を備えている。尚、ここではビットレートとは映像信号を所定の画質に変換する割合である。
【００３１】
チャプタスキップ再生手段２６は、所定のチャプタにおいて計算されるチャプタ番号に応じたサムネイル位置の情報が記憶されている。そして、この計算されたチャプタ番号のサムネイル位置を取得する制御手段を備えている。
【００３２】
マイクロコンピュータブロック１７の実行結果のうち、ユーザに通知すべき内容は、コンテンツ記録装置の表示部２８に表示されるか、または、モニターディスプレイ２９にＯＳＤ（On Screen Display）表示される。
【００３３】
また、マイクロコンピュータブロック１７は、このコンテンツ記録装置を操作するための操作信号を与えるキー入力部３０を有する。このキー入力部３０は、例えばコンテンツ記録装置の本体上に設けた操作スイッチ類、または、リモートコントローラ等に相当する。また、このコンテンツ記録装置と有線通信、無線通信または光通信や赤外線通信等の手段を用いて接続されたＰＣ（Personal Computer）パーソナルコンピューター等であってもよい。
【００３４】
いずれの形態であるにせよ、ユーザがこのキー入力部３０を操作することにより、入力された映像音声信号の記録処理や、記録されたコンテンツの再生処理、あるいは記録されたコンテンツに対する編集処理等を施すことができる。
【００３５】
なお、マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）３１からの時間データに基づいて実行することができる。記録や再生の動作は、通常は、ＳＴＣ３１からのタイムクロックに同期して実行されるが、それ以外の処理はＳＴＣ３１とは独立したタイミングで実行されてもよい。
【００３６】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするAデコーダとを有する。また、デコードされた主映像にデコードされた副映像を適宜合成し、主映像に、メニュー、ハイライトボタン、字幕やその他の副映像を重ねて出力するビデオプロセッサを備えている。
【００３７】
デコーダ部１６の出力ビデオ信号は、Ｖミキシング部２２に入力される。Ｖミキシング部２２では、テキストデータの合成が行なわれる。また、Ｖミキシング部２２には、ＴＶチューナー部２１やＡ／Ｖ入力部２０からの信号を、直接取り込むラインも接続されている。
【００３８】
また、Ｖミキシング部２２には、バッファとして用いるフレームメモリ３２が接続されている。Ｖミキシング部２２の出力がアナログ出力の場合はＩ／Ｆ（Interface）３３を介して外部出力され、デジタル出力の場合はＤ／Ａ（Digital／Analog）変換器３４を介して外部のモニターディスプレイ２９に出力される。
【００３９】
デコーダ部１６の出力オーディオ信号は、セレクタ２３を介してＤ／Ａ変換器３５でアナログ変換され外部のスピーカ３６に出力される。
セレクタ２３は、マイクロコンピュータブロック１７からのセレクト信号により制御される。これにより、セレクタ２３は、ＴＶチューナー部２１やＡ／Ｖ入力部２０からのデジタル信号を直接モニタする時、エンコーダ部１５をスルーした信号を直接選択することも可能である。
【００４０】
なお、エンコーダ部１５のフォーマッタ１９では、記録中、各切り分け情報を作成し、定期的にマイクロコンピュータブロック１７のＭＰＵに送出している［ＧＯＰ（Group Of Picture）先頭割り込み時等の情報］。切り分け情報としては、ＶＯＢＵ（Video Object Unit）のパック数、ＶＯＢＵ先頭からのＩ（Intra）ピクチャのエンドアドレス、ＶＯＢＵの再生時間等である。
【００４１】
同時に、アスペクト比情報処理部からの情報を記録開始時にＭＰＵに送り、ＭＰＵはＶＯＢ（Video Object）ストリーム情報（ＳＴＩ）を作成する。ここで、ＳＴＩは、解像度データ、アスペクト比データ等を保存し、再生時に、各デコーダ部ではこの情報を元にして初期設定が行なわれる。
【００４２】
また、このコンテンツ記録装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称している。ＣＤＡサイズは、ＥＣＣ（エラー訂正コード）ブロック（１６セクタ）の倍数であり、ファイルシステムではこのＣＤＡ単位で記録を行なっている。
【００４３】
Ｄ−ＰＲＯ部１４は、エンコーダ部１５のフォーマッタ１９からＶＯＢＵ単位のデータを受け取り、ＣＤＡ単位のデータをディスクドライブ部１２またはＨＤＤ部１３に供給している。
【００４４】
また、マイクロコンピュータブロック１７のＭＰＵは、記録したデータを再生するのに必要な管理情報を作成し、データ記録終了のコマンドを認識すると、作成した管理情報をＤ−ＰＲＯ部１４に送る。これにより、管理情報が光ディスク１１またはハードディスク１３ａに記録される。
【００４５】
このため、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１またはハードディスク１３ａから読み取った管理情報（ファイルシステム）を認識し、各ディスクの未記録エリアを認識し、データ上の記録エリアを、Ｄ−ＰＲＯ部１４を介してディスクに設定している。
【００４６】
図２はこの発明の実施の形態に係るコンテンツ記録装置における、ＨＤＤ部からＤＶＤ部へのコンテンツの移動のようすを示す図である。
ここではＨＤＤ部１３からＤＶＤ部１２へコンテンツ（Content）が移動している。
現在のコンテンツプロテクション規格では、HDDにContentを暗号化して記録する方式は規定されていない（第１の暗号方式）。しかし、現行のDVDレコーダでは、Discで用いられている暗号化方式とは異なる、独自の暗号化方式を用いてContentを保護している（第２の暗号方式）。
【００４７】
このため、従来の技術においては、HDD上に記録したEncrypted Content（暗号化されたコンテンツ）をDisc（ＤＶＤ）に移動させるためには、一度Encrypted Contentの独自暗号（第１の暗号方式）を復号してから、Discのフォーマットに合わせて再暗号化しなければならなかった。
【００４８】
この発明の実施の形態においては、HDDにContentを暗号化して記録する際に、DiscにContentを暗号化して記録する方式の中の、Title Keyの生成以降の処理と同様の方式を用いることによって上記問題を解決する。
【００４９】
この発明の実施の形態においては、初めに記録するContentに対応するTitle KeyからContent Keyを生成する。次に、Content Keyを使用してContentを暗号化し、Encrypted ContentをHDDに記録する。これによって、Title KeyをDiscに合わせて再暗号化するだけで、Encrypted Contentを再暗号化することなく、高速にHDDからDiscへ移動させることが可能となる。
【００５０】
すなわちこの発明の実施の形態においては、第１の記録媒体（HDD）１３に固有の第１の暗号方式で暗号化され、第１の記録媒体（HDD）１３に記録されたコンテンツを前記第１の記録媒体１３に固有の方式とは異なる第２の記録媒体（Disc（ＤＶＤ））１２に固有の第２の暗号方式が規定された第２の記録媒体１２に記録するためにコンテンツを移動させる。
【００５１】
ここでは、固有の第１の暗号方式が上記のように独自に規定され、第１の暗号方式で暗号化されたコンテンツおよび当該コンテンツに係るタイトルキーが第１の記録媒体に記録されている。
【００５２】
また、固有の第２の暗号方式が上記のように規定され、第１の暗号方式とは異なる第２の暗号方式で暗号化したコンテンツが第２の記録媒体（Disc（ＤＶＤ））１２に移動され、記録される。
【００５３】
ここで、第１の暗号方式で暗号化され、第１の記録媒体１３に記録されたコンテンツに係るタイトルキーを取得し、当該タイトルキーを第２の記録媒体１２に固有の第２の暗号方式に対応させて暗号化する（タイトルキー暗号化手段）。
【００５４】
また、上記第１の記憶媒体に対応させて暗号化されたタイトルキーを第２の記録媒体（Disc（ＤＶＤ））１２に記録するために移動させる（タイトルキー移動手段）。
【００５５】
また、第１の記録媒体（HDD）１３に固有の第１の暗号方式で暗号化され、第１の記録媒体（HDD）１３に記録されたコンテンツを第２の記録媒体（Disc（ＤＶＤ））１２に記録するために移動させる（コンテンツ移動手段）１４。
【００５６】
また、第１の記録媒体（HDD）１３から移動されたコンテンツを第１の記録媒体（HDD）１３から移動されたタイトルキーと共に第２の記録媒体（Disc（ＤＶＤ））１２に記録する（記録手段）。
【００５７】
図３はこの発明の実施の形態に係るコンテンツ記録装置における、ＤＶＤ部からＨＤＤ部へのコンテンツの移動のようすを示す図である。
上記説明ではＨＤＤ部からＤＶＤ部へコンテンツが移動する例を説明したが、ここではＤＶＤ部１２からＨＤＤ部１３へコンテンツ（Content）が移動している。
【００５８】
図４はこの発明の実施の形態に係るコンテンツ記録装置における、ＨＤＤ部とＳＤカード部のコンテンツの相互移動のようすを示す図である。
上記説明ではＨＤＤ部からＤＶＤ部へコンテンツが移動する例を説明したが、この発明の実施の形態においては、第１の記録媒体と第２の記録媒体はHDDとＤＶＤに限られることはない。ここではＨＤＤ部とＳＤカード部間でコンテンツ（Content）が移動している。
【００５９】
図５は、この発明の実施の形態に係るコンテンツ記録装置における、ＨＤＤ部とＴａｐｅ部のコンテンツの相互移動のようすを示す図である。
上記と同様に、この発明の実施の形態においては、第１の記録媒体と第２の記録媒体はHDDとＤＶＤに限られることはない。ここではＨＤＤ部とＴａｐｅ部間でコンテンツ（Content）が移動している。
【００６０】
図６はこの発明の実施の形態に係るコンテンツ記録装置における、ＨＤＤ（第１の記録媒体）へのコンテンツ記録のようすを説明するフローチャートである。
符号Ｓ１００はここでの開始ステップである。続いて符合Ｓ１０１を付したステップへ進む。
符号Ｓ１０１は第１の記録媒体（HDD）に初めに記録するコンテンツ（Content）に対応するタイトルキー（Title Key）からコンテンツ（Content Key）を生成するステップである。続いて符合Ｓ１０２を付したステップへ進む。
【００６１】
符号Ｓ１０２は生成されたコンテンツキー（Content Key）を使用してコンテンツ（Content）を暗号化するステップである。続いて符合Ｓ１０３を付したステップへ進む。
【００６２】
符合Ｓ１０３は暗号化されたコンテンツ（Encrypted Content）を第１の記録媒体（HDD）に記録するステップである。続いて符合Ｓ１０４を付したステップへ進む。
【００６３】
符号Ｓ１０４は終了ステップであり、ここでの処理は終了する。
すなわち、この発明の実施の形態においては、第１の記録媒体（HDD）に初めに記録するコンテンツ（Content）に対応するタイトルキー（Title Key）からコンテンツ（Content Key）を生成する。次に、このコンテンツキー（Content Key）を使用してコンテンツ（Content）を暗号化し、暗号化されたコンテンツ（Encrypted Content）を第１の記録媒体（HDD）に記録する。そして、移動させるコンテンツは暗号化されたコンテンツ（Encrypted Content）単位毎に対応したタイトルキー（Title Key）があり、保護されている。
【００６４】
図７はこの発明の実施の形態に係るコンテンツ記録装置における、ＨＤＤ（第１の記録媒体）からＤｉｓｃ（第２の記録媒体）へのコンテンツ記録のようすを説明するフローチャートである。
【００６５】
符号Ｓ２００はここでの開始ステップである。続いて符合Ｓ２０１を付したステップへ進む。
符号Ｓ２０１はタイトルキー（Title Key）を第２の記憶媒体（Ｄｉｓｃ（ＤＶＤ））のフォーマットに合わせて暗号化するステップである。続いて符合Ｓ２０２を付したステップへ進む。
【００６６】
符号Ｓ２０２は暗号化されたタイトルキー（Encrypted Title Key）を第２の記憶媒体（Ｄｉｓｃ（ＤＶＤ））に記録するステップである。続いて符合Ｓ２０３を付したステップへ進む。
【００６７】
符号Ｓ２０３は第１の記録媒体（HDD）に記録された暗号化されたコンテンツ（Encrypted Content）を第２の記憶媒体（Ｄｉｓｃ（ＤＶＤ））に移動するステップである。続いて符合Ｓ２０４を付したステップへ進む。
【００６８】
符号Ｓ２０４は終了ステップであり、ここでの処理は終了する。
すなわちこの発明の実施の形態においては、第１の記録媒体（HDD）に記録された暗号化されたコンテンツ（Encrypted Content）を第２の記憶媒体（Ｄｉｓｃ（ＤＶＤ））に移動させる際には、移動させる暗号化されたコンテンツ（Encrypted Content）に対応したタイトルキー（Title Key）を第２の記憶媒体（Ｄｉｓｃ（ＤＶＤ））のフォーマットに合わせて再暗号化することでよく、特に暗号化されたコンテンツ（Encrypted Content）を再暗号化しなくとも良い。このため、コンテンツを第１の記録媒体（HDD）から第２の記憶媒体（Ｄｉｓｃ（ＤＶＤ））へ高速に移動させることが可能となる。
【００６９】
上記のように構成することによって、この発明の実施の形態においては、第１の記録媒体から第２の記録媒体へのコンテンツの移動（コピー含む）を容易にすることが可能となる。また、第１の記録媒体から第２の記録媒体へコンテンツを移動する際に要する時間を低減し、コンテンツの移動を高速に行うことが可能となる。
【００７０】
なお、この発明は上記した実施の形態そのままに限定されるものではなく、実施段階ではその趣旨を逸脱しない範囲で構成要素を種々変形して具体化することが可能である。
【図面の簡単な説明】
【００７１】
【図１】この発明の実施の形態に係るコンテンツ記録装置の構成の一例を示すブロック図。
【図２】この発明の実施の形態に係るコンテンツ記録装置における、ＨＤＤ部からＤＶＤ部へのコンテンツの移動のようすを示す図。
【図３】この発明の実施の形態に係るコンテンツ記録装置における、ＤＶＤ部からＨＤＤ部へのコンテンツの移動のようすを示す図。
【図４】この発明の実施の形態に係るコンテンツ記録装置における、ＨＤＤ部とＳＤカード部のコンテンツの相互移動のようすを示す図。
【図５】この発明の実施の形態に係るコンテンツ記録装置における、ＨＤＤ部とＴａｐｅ部のコンテンツの相互移動のようすを示す図。
【図６】この発明の実施の形態に係るコンテンツ記録装置における、ＨＤＤ（第１の記録媒体）へのコンテンツ記録のようすを説明するフローチャート。
【図７】この発明の実施の形態に係るコンテンツ記録装置における、ＨＤＤ（第１の記録媒体）からＤｉｓｃ（第２の記録媒体）へのコンテンツ記録のようすを説明するフローチャート。
【符号の説明】
【００７２】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミキシング部、２３…セレクタ、２４…ワークＲＡＭ、２５…方式違い検知部、２６…データビットレート変換手段、２７…変換テーブルが記憶されたメモリ、２８…表示部、２９…モニターディスプレイ、３０…キー入力部、３１…ＳＴＣ、３２…フレームメモリ部、３３…Ｉ／Ｆ、３４…Ｄ／Ａ変換器、３５…Ｄ／Ａ変換器、３６…スピーカ。
【図１】
2008052804.tif 000003
【図２】
2008052804.tif 000004
【図３】
2008052804.tif 000005
【図４】
2008052804.tif 000006
【図５】
2008052804.tif 000007
【図６】
2008052804.tif 000008
【図７】
2008052804.tif 000009